(57)【要約】      （修正有）【課題】飲食に伴うユーザの動作を正確に検知する検知システム、検知装置、報知装置、検知方法及びプログラムを提供する。【解決手段】検知システム１０は、センサと、取得手段１００と、報知手段２００と、を備える。センサは、ユーザの首に装着され、ユーザの喉の動きを検知する。取得手段１００は、センサによって検知されたユーザの喉の動きに基づいて、ユーザの飲食に伴う動作を示す動作情報を取得する。報知手段２００は、動作情報に基づいて取得された報知情報を出力する。【選択図】図１
2017056053.tif 000002
【特許請求の範囲】
【請求項１】
ユーザの首に装着され、前記ユーザの喉の動きを検知するセンサと、
前記センサによって検知された前記ユーザの前記喉の動きに基づいて、前記ユーザの飲食に伴う動作を示す動作情報を取得する取得手段と、
前記動作情報に基づいて取得された報知情報を出力する報知手段と、
を備える、
ことを特徴とする検知システム。
【請求項２】
前記飲食に伴う動作は、咀嚼と嚥下とのうちの少なくとも何れか一つである、
ことを特徴とする請求項１に記載の検知システム。
【請求項３】
前記動作情報は、前記咀嚼と前記嚥下とのうちの少なくとも何れか一つのタイミングである、
ことを特徴とする請求項２に記載の検知システム。
【請求項４】
前記センサは、前記ユーザの生体情報を検知し、
前記取得手段は、前記生体情報に基づいて、前記動作情報を取得する、
ことを特徴とする請求項１乃至３の何れか一項に記載の検知システム。
【請求項５】
前記報知情報は、一口あたりの前記飲食に伴う動作の回数を示し、
前記報知手段は、前記報知情報が示す前記一口あたりの前記飲食に伴う動作の回数が第１警告条件を満たした場合、前記報知情報として第１警告情報を出力する、
ことを特徴とする請求項１乃至４の何れか一項に記載の検知システム。
【請求項６】
前記報知情報は、単位時間あたりの前記飲食に伴う動作の回数をさらに示し、
前記報知手段は、前記報知情報が示す前記単位時間あたりの前記飲食に伴う動作の回数が第２警告条件を満たした場合、前記報知情報として第２警告情報を出力する、
ことを特徴とする請求項５に記載の検知システム。
【請求項７】
前記第１警告条件と前記第２警告条件とは、前記ユーザが飲食する物に応じてそれぞれ設定されている、
ことを特徴とする請求項６に記載の検知システム。
【請求項８】
前記報知手段は、前記飲食に伴う動作のタイミングに基づいて、音声の出力、画像の出力、振動の発生、発光の発生のうちの少なくとも何れか一つを行うことによって、前記報知情報を出力する、
ことを特徴とする請求項１乃至７の何れか一項に記載の検知システム。
【請求項９】
前記検知システムは、検知装置と、報知装置と、を備え、
前記検知装置は、
前記センサと、
前記センサによって検知された前記ユーザの前記喉の動きを示す動き情報を、前記報知装置へ送信する送信手段と、
を有し、
前記報知装置は、
前記検知装置から送信された前記動き情報を受信する受信手段と、
前記受信手段によって受信された前記動き情報に基づいて、前記動作情報を取得する前記取得手段と、
前記報知手段と、
を有する、
ことを特徴とする請求項１乃至８の何れか一項に記載の検知システム。
【請求項１０】
前記検知システムは、検知装置と、報知装置と、を備え、
前記検知装置は、
前記センサと、
前記取得手段と、
前記取得手段が取得した前記動作情報に基づいて取得された前記報知情報を、前記報知装置へ送信する送信手段と、
を有し、
前記報知装置は、
前記検知装置から送信された前記報知情報を受信する受信手段と、
前記受信手段によって受信された前記報知情報を出力する前記報知手段と、
を有する、
ことを特徴とする請求項１乃至８の何れか一項に記載の検知システム。
【請求項１１】
ユーザの首に装着され、前記ユーザの喉の動きを検知するセンサと、
前記センサによって検知された前記ユーザの前記喉の動きに基づいて、前記ユーザの飲食に伴う動作を示す動作情報を取得する取得手段と、
前記動作情報を、前記動作情報に基づいて取得された報知情報を出力する報知装置へ送信する送信手段と、
を備える、
ことを特徴とする検知装置。
【請求項１２】
ユーザの首に装着されたセンサによって検知された前記ユーザの喉の動きを示す動き情報を、前記センサを備える検知装置から受信する受信手段と、
前記センサによって検知された前記ユーザの前記喉の動きに基づいて、前記ユーザの飲食に伴う動作を示す動作情報を取得する取得手段と、
前記動作情報に基づいて取得された報知情報を出力する報知手段と、
を備える、
ことを特徴とする報知装置。
【請求項１３】
ユーザの首に装着されたセンサによって前記ユーザの喉の動きを検知し、
前記センサによって検知された前記ユーザの前記喉の動きに基づいて、前記ユーザの飲食に伴う動作を示す動作情報を取得し、
前記動作情報に基づいて取得された報知情報を出力する、
ことを特徴とする検知方法。
【請求項１４】
検知装置のコンピュータに、
ユーザの首に装着されたセンサによって検知された前記ユーザの喉の動きを示す動き情報を取得させ、
前記動き情報に基づいて、前記ユーザの飲食に伴う動作を示す動作情報を取得させ、
前記動作情報を、前記動作情報に基づいて取得された報知情報を出力する報知装置へ送信させる、
ことを特徴とするプログラム。
【請求項１５】
報知装置のコンピュータに、
ユーザの首に装着されたセンサによって検知された前記ユーザの喉の動きを示す動き情報に基づいて取得された報知情報を、前記センサを備える検知装置から受信させ、
受信した前記報知情報を出力させる、
ことを特徴とするプログラム。
【発明の詳細な説明】
【技術分野】
【０００１】
本発明は、検知システム、検知装置、報知装置、検知方法及びプログラムに関する。
【背景技術】
【０００２】
飲食に伴うユーザの動作を検知する技術が知られている。例えば、特許文献１には、ユーザの外耳道の変形を検知することにより、飲食に伴うユーザの動作である咀嚼の回数を計測する技術が開示されている。
【先行技術文献】
【特許文献】
【０００３】
【特許文献１】特開平１１−３１８８６２号公報
【発明の概要】
【発明が解決しようとする課題】
【０００４】
ところで、ユーザが飲食しているにも関わらず、ユーザの外耳道が変形しないことがある。このような場合、特許文献１の装置は、咀嚼の回数を正確に計測できない。
【０００５】
本発明は、上記事情に鑑みてなされたものであり、飲食に伴うユーザの動作を正確に検知する検知システム、検知装置、報知装置、検知方法及びプログラムを提供することを目的とする。
【課題を解決するための手段】
【０００６】
上記目的を達成するために、本発明に係る検知システムの一様態は、
ユーザの首に装着され、前記ユーザの喉の動きを検知するセンサと、
前記センサによって検知された前記ユーザの前記喉の動きに基づいて、前記ユーザの飲食に伴う動作を示す動作情報を取得する取得手段と、
前記動作情報に基づいて取得された報知情報を出力する報知手段と、
を備える、
ことを特徴とする。
【０００７】
また、上記目的を達成するために、本発明に係る検知装置の一様態は、
ユーザの首に装着され、前記ユーザの喉の動きを検知するセンサと、
前記センサによって検知された前記ユーザの前記喉の動きに基づいて、前記ユーザの飲食に伴う動作を示す動作情報を取得する取得手段と、
前記動作情報を、前記動作情報に基づいて取得された報知情報を出力する報知装置へ送信する送信手段と、
を備える、
ことを特徴とする。
【０００８】
また、上記目的を達成するために、本発明に係る報知装置の一様態は、
ユーザの首に装着されたセンサによって検知された前記ユーザの喉の動きを示す動き情報を、前記センサを備える検知装置から受信する受信手段と、
前記センサによって検知された前記ユーザの前記喉の動きに基づいて、前記ユーザの飲食に伴う動作を示す動作情報を取得する取得手段と、
前記動作情報に基づいて取得された報知情報を出力する報知手段と、
を備える、
ことを特徴とする。
【０００９】
また、上記目的を達成するために、本発明に係る検知方法の一様態は、
ユーザの首に装着されたセンサによって前記ユーザの喉の動きを検知し、
前記センサによって検知された前記ユーザの前記喉の動きに基づいて、前記ユーザの飲食に伴う動作を示す動作情報を取得し、
前記動作情報に基づいて取得された報知情報を出力する、
ことを特徴とする。
【００１０】
また、上記目的を達成するために、本発明に係るプログラムの一様態は、
検知装置のコンピュータに、
ユーザの首に装着されたセンサによって検知された前記ユーザの喉の動きを示す動き情報を取得させ、
前記動き情報に基づいて、前記ユーザの飲食に伴う動作を示す動作情報を取得させ、
前記動作情報を、前記動作情報に基づいて取得された報知情報を出力する報知装置へ送信させる、
ことを特徴とする。
【００１１】
また、上記目的を達成するために、本発明に係るプログラムの一様態は、
報知装置のコンピュータに、
ユーザの首に装着されたセンサによって検知された前記ユーザの喉の動きを示す動き情報に基づいて取得された報知情報を、前記センサを備える検知装置から受信させ、
受信した前記報知情報を出力させる、
ことを特徴とする。
【発明の効果】
【００１２】
本発明によれば、飲食に伴うユーザの動作を正確に検知する検知システム、検知装置、報知装置、検知方法及びプログラムを提供できる。
【図面の簡単な説明】
【００１３】
【図１】本発明の第１実施形態に係る検知システムの構成例を示す図である。
【図２】本発明の第１実施形態に係る検知装置の構成例を示すブロック図である。
【図３】本発明の第１実施形態に係る検知装置の装着例を示す図である。
【図４】本発明の第１実施形態に係る報知装置の構成例を示すブロック図である。
【図５】ユーザの喉の動きの大きさの経時変化を示す波形の一例を示す図である。
【図６】報知画面の一例を示す図である。
【図７】本発明の第１実施形態に係る検知装置が実行する検知処理を説明するためのフローチャートである。
【図８】本発明の第１実施形態に係る報知装置が実行する報知処理を説明するためのフローチャートである。
【図９】本発明の第２実施形態に係る検知装置の構成例を示すブロック図である。
【図１０】本発明の第２実施形態に係る報知装置の構成例を示すブロック図である。
【図１１】本発明の第２実施形態に係る検知装置が実行する検知処理を説明するためのフローチャートである。
【図１２】本発明の第２実施形態に係る報知装置が実行する報知処理を説明するためのフローチャートである。
【発明を実施するための形態】
【００１４】
（第１実施形態）
以下、本発明の実施形態について、図面を参照して説明する。図中、互いに同一または同等の構成には同一の符号を付す。
【００１５】
本実施形態に係る検知システムは、ユーザの喉の動きに基づいて、ユーザの飲食に伴う動作を検知する。本実施形態において、検知システムは、ユーザの飲食に伴う動作である咀嚼及び嚥下を検知する。ユーザが咀嚼及び嚥下を行うと、ユーザの喉に、各動作に特徴的な動きが生じる。検知システムは、咀嚼及び嚥下に伴って生じるユーザの喉の動きを検知することにより、咀嚼及び嚥下を検知する。検知システムは、検知の結果に基づいて、ユーザの健康管理または美容促進に有用な情報を取得し、出力する。
【００１６】
具体的に、検知システムは、ユーザの首に装着されたセンサが検知したユーザの喉の動きに基づいて、ユーザの飲食に伴う動作を示す動作情報を取得する。検知システムは、この動作情報に基づいて取得された報知情報を出力する。動作情報及び報知情報の詳細については、後述する。
【００１７】
検知システム１０は、図１に示すように、検知装置１００と、報知装置２００と、を備えている。検知装置１００は、ユーザの首に装着されるウェアラブル装置であり、ユーザの首に装着されたセンサが検知したユーザの喉の動きを示す動き情報を、報知装置２００へ送信する。報知装置２００は、検知装置１００から受信した動き情報に基づいて、動作情報を取得する。報知装置２００は、動作情報に基づいて報知情報を取得し、取得した報知情報を出力する。報知情報は、ユーザの健康管理または美容促進に有用な情報である。本実施形態では、報知装置２００の例として、スマートフォンを用いて説明する。以下、検知装置１００及び報知装置２００の構成及び機能を説明する。
【００１８】
まず、検知装置１００の構成及び機能を説明する。検知装置１００は、図２に示すように、装着部１１０と、センサ１２０と、制御部１３０と、操作部１４０と、無線通信Ｉ／Ｆ（インタフェース）１５０と、を備えている。
【００１９】
装着部１１０は、センサ１２０をユーザの首に装着する。本実施形態において、装着部１１０は、バンドであり、図３に示すように、センサ１２０を、ユーザの喉に密着するように装着する。なお、装着部１１０は、バンドに限らず、センサ１２０をユーザの首に装着できる任意の部材によって構成できる。例えば、ベルトやネックレス、チョーカー、紐、粘着テープ等によって装着部１１０を構成してもよい。
【００２０】
図２に戻って、センサ１２０は、装着部１１０によってユーザの首に装着され、ユーザの喉の動きを検知する。本実施形態において、センサ１２０は、３軸ジャイロセンサであり、自装置のピッチ、ヨー及びロールの三軸周りの角速度を取得することにより、ユーザの喉の動きを検知する。センサ１２０は、装着部１１０によってユーザの首に装着されているため、ユーザの喉の動きに応答して自装置が傾いた際の角速度を取得することにより、ユーザの喉の動きを検知できる。センサ１２０は、取得した角速度を、制御部１３０へ供給する。なお、３軸ジャイロセンサに替えて、ユーザの喉の動きに応答した自装置の動きを検知可能な他の任意のセンサを用いてもよい。このようなセンサの例としては、加速度センサが挙げられる。
【００２１】
制御部１３０は、検知装置１００の各部を制御する。制御部１３０は、何れも図示しないＣＰＵ（Central Processing Unit）、ＲＯＭ（Read-Only Memory）及びＲＡＭ（Random Access Memory）を備えている。制御部１３０は、ＲＯＭに記憶されたプログラムに従って検知装置１００の各部を制御することにより、送信部１３１の機能を実現する。
【００２２】
送信部１３１は、センサ１２０が検知したユーザの喉の動きを示す動き情報を、後述する報知装置２００の受信部２２１へ送信する。送信部１３１は、制御部１３０と後述する無線通信Ｉ／Ｆ１５０との協働によって実現される。
【００２３】
本実施形態において、送信部１３１は、動き情報として、ユーザの喉の動きの大きさを示す情報を、報知装置２００へ送信する。具体的に、送信部１３１は、センサ１２０から供給された３軸まわりの角速度の２乗値を合計することによりユーザの喉の動きの大きさを取得し、検知装置２００へリアルタイムに送信する。ユーザの喉の動きの大きさは、センサ１２０により電圧の大きさとして取得されるので、単位はＶである。
【００２４】
なお、送信部１３１は、リアルタイムにではなく、所定の時間間隔ごとに動き情報を送信してもよい。この場合、動き情報は、制御部１３０が備えるＲＡＭに記憶され、所定の時間間隔ごとに送信部１３１へ供給され、送信される。所定の時間間隔とは、例えば、１００ｍｓｅｃである。
【００２５】
操作部１４０は、ユーザの操作に従って、各種入力を受け付ける。本実施形態において、操作部１４０は、図示しない電源ボタンを含む検知装置１００の各種操作ボタンを備えている。
【００２６】
無線通信Ｉ／Ｆ１５０は、後述する報知装置２００の無線通信Ｉ／Ｆ２１０との間で各種データを送受信する。
【００２７】
次に、報知装置２００の構成及び機能を説明する。報知装置２００は、図４に示すように、無線通信Ｉ／Ｆ２１０と、制御部２２０と、操作部２３０と、ディスプレイ２４０と、スピーカ２５０と、を備える。
【００２８】
無線通信Ｉ／Ｆ２１０は、検知装置１００の無線通信Ｉ／Ｆ１５０との間で各種データを送受信する。
【００２９】
制御部２２０は、報知装置２００の各部を制御する。制御部２２０は、何れも図示しないＣＰＵ、ＲＯＭ及びＲＡＭを備えている。制御部２２０は、ＲＯＭに記憶されたプログラムに従って報知装置２００の各部を制御することにより、受信部２２１、取得部２２２及び報知部２２３の機能を実現する。
【００３０】
受信部２２１は、動き情報を、検知装置１００の送信部１３１から受信する。受信部２２１は、受信した動き情報を、取得部２２２へ供給する。受信部２２１は、無線通信Ｉ／Ｆ２１０と制御部２２０との協働によって実現される。
【００３１】
取得部２２２は、受信部２２１が受信した動き情報に基づいて、ユーザの飲食に伴う動作を示す動作情報を取得する。取得部２２２は、取得した動作情報に基づいて、報知情報を取得する。取得部２２２は、取得した報知情報を、報知部２２３へ供給する。
【００３２】
本実施形態において、取得部２２２は、ユーザの飲食に伴う動作である咀嚼及び嚥下のタイミングを示す情報を、動作情報として取得する。具体的に、取得部２２２は、動き情報であるユーザの喉の動きの大きさを示す情報に基づいて、図５に示す、ユーザの喉の動きの大きさの経時変化を表す波形を取得する。取得部２２２は、図５に示す波形を解析することにより、咀嚼及び嚥下のタイミングを示す情報を取得する。
【００３３】
図５の波形図において、横軸は時間を、縦軸はユーザの喉の動きの大きさを、それぞれ示す。図５に示す波形は、ユーザが飲食している際におけるユーザの喉の動きの大きさの経時変化を示している。飲食に伴ってユーザが咀嚼及び嚥下を行うと、各動作に特徴的なユーザの喉の動きを表す波形が波形図上に現れる。以下、嚥下に伴うユーザの喉の動きを表す波形を嚥下波形、咀嚼に伴うユーザの喉の動きを表す波形を咀嚼波形と呼ぶ。
【００３４】
図５に示すように、嚥下波形の振幅は、咀嚼波形の振幅よりも大きい。これは、嚥下する際に、咀嚼する際よりも大きな動きがユーザの喉に生じることに対応している。また、図５に示す波形では、咀嚼波形が複数回出現した後に、嚥下波形が出現するサイクルが繰り返し出現している。これは、ユーザが、飲食の際、一口分の飲食物を口に含み、複数回咀嚼した後に嚥下し、次の一口分の飲食物を口に含む動作を繰り返すことに対応している。
【００３５】
取得部２２２は、嚥下波形が出現したタイミングを示す情報を、嚥下のタイミングを示す動作情報として取得する。本実施形態において、取得部２２２は、所定の第２閾値より大きい振幅を有する波形を、嚥下波形として判別し、この波形の出現タイミングを示す情報を、嚥下のタイミングを示す動作情報として取得する。第２閾値は、任意の方法で設定され、制御部２２０が備えるＲＯＭに予め記憶されている。例えば、嚥下の際のユーザの喉の動きの大きさを測定し、測定した大きさの平均値を第２閾値として設定すればよい。
【００３６】
また、取得部２２２は、咀嚼波形が出現したタイミングを示す情報を、咀嚼のタイミングを示す動作情報として取得する。本実施形態において、取得部２２２は、下記の条件（ａ）〜（ｃ）を満たす波形を、咀嚼波形として判別し、この波形の出現タイミングを示す情報を、咀嚼のタイミングを示す動作情報として取得する。
（ａ）所定の判別時間以内、または嚥下波形が出現するまでの間に、複数の波形が出現している。
（ｂ）単位時間あたりの波形の出現回数が、所定の判別範囲内である。
（ｃ）各波形が、所定の第１閾値以上かつ第２閾値以下の振幅を有している。
判別時間、判別範囲及び第１閾値は、それぞれ、任意の方法で設定され、制御部２２０が備えるＲＯＭに予め記憶されている。例えば、一口分の飲食物をユーザが咀嚼するために要する時間を測定し、測定した時間の平均値を判別時間として設定すればよい。また、ユーザが咀嚼する際の単位時間当たりの咀嚼回数を測定し、測定した単位時間あたりの咀嚼回数の最大値及び最小値を、それぞれ判別範囲の上限値及び下限値として設定すればよい。また、咀嚼の際のユーザの喉の動きの大きさを測定し、測定した大きさの平均値を第１閾値として設定すればよい。なお、第１閾値が第２閾値よりも小さい。これは、咀嚼に伴うユーザの喉の動きが嚥下に伴うユーザの喉の動きよりも小さいことに対応している。
【００３７】
なお、取得部２２２は、上記の方法以外の任意の方法によっても動作情報を取得することができる。例えば、取得部２２２は、図５に示す波形に、予め学習しておいた嚥下波形及び咀嚼波形との類似度が所定値以上である波形が含まれているか否かに基づいて、動作情報を取得してもよい。この場合、取得部２２２は、予め学習しておいた嚥下波形との類似度が所定値以上である波形の出現タイミングを示す情報を、嚥下のタイミングを示す動作情報として取得する。また、取得部２２２は、予め学習しておいた咀嚼波形との類似度が所定値以上である波形の出現タイミングを示す情報を、咀嚼のタイミングを示す動作情報として取得する。
【００３８】
また、取得部２２２は、ユーザの健康管理または美容促進に有用な情報である報知情報として、下記の（１）〜（４）の情報を取得する。
（１）一口あたりの咀嚼回数を示す情報
（２）一食あたりの咀嚼回数を示す情報
（３）一口あたりの咀嚼回数が、健康管理または美容促進にとって好適であるか否かを示す情報
（４）単位時間あたりの咀嚼回数が、健康管理または美容促進にとって好適であるか否かを示す情報
【００３９】
ユーザは、上記の報知情報に含まれる咀嚼回数及び単位時間あたりの咀嚼回数が健康管理または美容促進に好適となるように心がけて飲食することにより、健康増進や美容促進といった効果を得ることができる。
【００４０】
具体的に、取得部２２２は、動作情報が示す嚥下のタイミングと咀嚼のタイミングとに基づいて、嚥下が検知されるまでの間に検知された咀嚼の回数を示す情報を、一口あたりの咀嚼回数を示す報知情報として取得する。
【００４１】
また、取得部２２２は、一口あたりの咀嚼回数の累積値を示す情報を、一食あたりの咀嚼回数を示す報知情報として取得する。
【００４２】
また、取得部２２２は、一口あたりの咀嚼回数が、予め設定された「好適」、「やや不適」及び「不適」の３つの範囲の何れに属するかを示す情報を、一口あたりの咀嚼回数が、健康管理または美容促進にとって好適であるか否かを示す報知情報として取得する。より具体的に、本実施形態において、取得部２２２は、一口あたりの咀嚼回数が３０回以上であれば、一口あたりの咀嚼回数が「好適」範囲に属することを示す情報を報知情報として取得する。また、取得部２２２は、一口あたりの咀嚼回数が２９回以下２０回以上であれば、一口あたりの咀嚼回数が「やや不適」範囲に属することを示す情報を報知情報として取得する。また、取得部２２２は、一口あたりの咀嚼回数が２０回よりも少なければ、一口あたりの咀嚼回数が「不適」範囲に属することを示す情報を報知情報として取得する。「好適」、「やや不適」及び「不適」の各範囲は、医学的知見等に基づいて任意の方法で設定され、制御部２２０が備えるＲＯＭに予め記憶されている。なお、設定される範囲は３つである必要はなく、任意の数の範囲を設定できる。
【００４３】
また、取得部２２２は、動作情報が示す咀嚼のタイミングに基づいて、単位時間あたりの咀嚼回数を取得する。取得部２２２は、取得した単位時間あたりの咀嚼回数が、予め設定された「好適」、「やや不適」及び「不適」の３つの範囲の何れに属するかを示す情報を、単位時間あたりの咀嚼回数が、健康管理または美容促進にとって好適であるか否かを示す報知情報として取得する。より具体的に、本実施形態において、取得部２２２は、単位時間あたりの咀嚼回数が２回よりも少なければ、単位時間あたりの咀嚼回数が「好適」範囲に属することを示す情報を報知情報として取得する。また、取得部２２２は、単位時間あたりの咀嚼回数が２回以上３回以下であれば、単位時間あたりの咀嚼回数が「やや不適」範囲に属することを示す情報を報知情報として取得する。また、取得部２２２は、単位時間あたりの咀嚼回数が５回以上であれば、単位時間あたりの咀嚼回数が「不適」範囲に属することを示す情報を報知情報として取得する。「好適」、「やや不適」及び「不適」の各範囲は、医学的知見等に基づいて任意の方法で設定され、制御部２２０が備えるＲＯＭに予め記憶されている。なお、設定される範囲は３つである必要はなく、任意の数の範囲を設定できる。
【００４４】
報知部２２３は、取得部２２２が動作情報に基づいて取得した報知情報を出力する。報知部２２３は、制御部２２０と、後述するディスプレイ２４０及びスピーカ２５０と、の協働によって実現される。
【００４５】
本実施形態において、報知部２２３は、ディスプレイ２４０を介して図６に示す報知画面Ｗｎを画像出力することにより、報知情報を出力する。報知画面Ｗｎは、第１表示領域Ｃｎと、第２表示領域Ｔｎと、第１報知アイコンＩｎ１と、第２報知アイコンＩｎ２と、を含む。
【００４６】
第１表示領域Ｃｎには、一口あたりの咀嚼回数を示す報知情報に対応する画像が表示される。図６の例では、一口あたりの咀嚼回数が２６回であることを示す報知情報に基づいて、「一口あたりの咀嚼回数は２６回です。」というメッセージを表す画像が第１表示領域Ｃｎに表示されている。
【００４７】
第２表示領域Ｔｎには、１食あたりの咀嚼回数を示す報知情報に対応する画像が表示される。図６の例では、一食あたりの咀嚼回数が２９３回であることを示す報知情報に基づいて、「合計咀嚼回数は２９３回です。」というメッセージを表す画像が第２表示領域Ｔｎに表示されている。
【００４８】
第１報知アイコンＩｎ１は、一口あたりの咀嚼回数が、健康管理または美容促進にとって好適であるか否かを示す報知情報を報知するためのアイコンである。具体的に、報知部２２３は、報知情報によって示される一口あたりの咀嚼回数が属する範囲が「好適」、「やや不適」または「不適」の何れであるかに応じて、第１報知アイコンＩｎ１を、複数種類の色のうち何れかの色にて表示する。より具体的に、報知部２２３は、一口あたりの咀嚼回数が「好適」範囲に属することを示す報知情報に対応して、第１報知アイコンＩｎ１を青色にて表示する。また、報知部２２３は、一口あたりの咀嚼回数が「やや不適」範囲に属することを示す報知情報に対応して、第１報知アイコンＩｎ１を黄色にて表示する。また、報知部２２３は、一口あたりの咀嚼回数が「不適」範囲に属することを示す報知情報に対応して、第１報知アイコンＩｎ１を赤色にて表示する。
【００４９】
第２報知アイコンＩｎ２は、単位時間あたりの咀嚼回数が、健康管理または美容促進にとって好適であるか否かを示す報知情報を報知するためのアイコンである。具体的に、報知部２２３は、報知情報によって示される単位時間あたりの咀嚼回数が属する範囲が「好適」、「やや不適」または「不適」の何れであるかに応じて、第２報知アイコンＩｎ２を、複数種類の色のうち何れかの色にて表示する。より具体的に、報知部２２３は、単位時間あたりの咀嚼回数が「好適」範囲に属することを示す報知情報に対応して、第２報知アイコンＩｎ２を青色にて表示する。また、報知部２２３は、単位時間あたりの咀嚼回数が「やや不適」範囲に属することを示す報知情報に対応して、第２報知アイコンＩｎ２を黄色にて表示する。また、報知部２２３は、単位時間あたりの咀嚼回数が「不適」範囲に属することを示す報知情報に対応して、第２報知アイコンＩｎ２を赤色にて表示する。
【００５０】
また、報知部２２３は、報知情報が示す一口あたりの飲食に伴う動作の回数が第１警告条件を満たした場合、報知情報として第１警告情報を出力する。本実施形態において、報知部２２３は、報知情報が示す一口あたりの咀嚼回数が第１警告条件を満たした場合、報知情報として第１警告情報を出力する。本実施形態において、第１警告条件は、一口あたりの咀嚼回数が１０回以下であることである。報知部２２３は、スピーカ２５０を介して第１警告音を音声出力することにより、第１警告情報を出力する。
【００５１】
また、報知部２２３は、報知情報が示す単位時間あたりの飲食に伴う動作の回数が第２警告条件を満たした場合、報知情報として第２警告情報を出力する。本実施形態において、報知部２２３は、報知情報が示す単位時間あたりの咀嚼回数が第２警告条件を満たした場合、報知情報として第２警告情報を出力する。本実施形態において、第２警告条件は、単位時間あたりの咀嚼回数が５回以上であることである。報知部２２３は、スピーカ２５０を介して、第１警告音とは異なる第２警告音を音声出力することにより、第２警告情報を出力する。
【００５２】
なお、第１警告条件及び第２警告条件は、ユーザが飲食する物に応じてそれぞれ設定してもよい。物によって、健康管理または美容促進の観点から不適切な一口あたりの咀嚼回数及び単位時間あたりの咀嚼回数は異なる。このため、それぞれの物を飲食するにあたって健康管理または美容促進の観点から不適切だと思われる一口あたりの咀嚼回数及び単位時間あたりの咀嚼回数を、第１警告条件及び第２警告条件としてそれぞれ設定することにより、健康管理または美容促進に有用な情報をユーザに提供できる。
【００５３】
図４に戻って、操作部２３０は、ユーザの操作に従って、各種入力を受け付ける。本実施形態において、操作部２３０は、図示しない電源ボタンを含む報知装置２００の各種操作ボタンと、後述するディスプレイ２４０に重畳して配置されたタッチパネルと、を備える。
【００５４】
ディスプレイ２４０は、制御部２２０の制御に従って、各種画像を表示する。
【００５５】
スピーカ２５０は、制御部２２０の制御に従って、各種音声を出力する。
【００５６】
次に、上記の構成及び機能を備える検知装置１００及び報知装置２００の動作について説明する。
【００５７】
まず、図７のフローチャートを参照して、検知装置１００が実行する検知処理について説明する。検知処理の開始を所望するユーザは、検知装置１００の操作部１４０が備える電源ボタンを操作することにより、検知装置１００の電源を投入する。検知装置１００は、電源が投入されたことに応答して、図７のフローチャートに示す検知処理を開始する。
【００５８】
まず、検知装置１００の送信部１３１が、センサ１２０からの出力に基づいて取得した、ユーザの喉の動きの大きさを示す情報を、動き情報として送信する（ステップＳ１０１）。
【００５９】
次に、制御部１３０が、ユーザによって検知処理の終了指示を受け付けたか否かを判別する（ステップＳ１０２）。終了指示を受け付けていないと判別すると（ステップＳ１０２；ＮＯ）、処理はステップＳ１０１へ戻り、終了指示を受け付けたと判別するまでステップＳ１０１〜Ｓ１０２の処理を繰り返す。
【００６０】
検知処理の終了を所望するユーザは、検知装置１００の操作部１４０が備える電源ボタンを操作することによって、検知装置１００の電源を切る。これに応答して、制御部１３０は、検知処理の終了指示を受け付けたと判別し（ステップＳ１０２；ＹＥＳ）、検知処理を終了する。
【００６１】
次に、図８のフローチャートを参照して、報知装置２００が実行する報知処理について説明する。なお、以下の説明では、検知装置１００が、図７のフローチャートの検知処理を実行することにより、取得した動き情報をリアルタイムに報知装置２００へ送信し続けているものとして説明を行う。この状態において、報知処理の開始を所望するユーザが報知装置２００の操作部２３０が備える電源ボタンを操作することにより報知装置２００の電源を投入すると、報知装置２００は、これに応答して、図８のフローチャートに示す報知処理を開始する。
【００６２】
まず、報知装置２００の受信部２２１が、検知装置１００の送信部１３１から、ユーザの喉の動きの大きさを示す情報を動き情報として受信する（ステップＳ２０１）。受信部２２１は、受信した動き情報を、取得部２２２へ供給する。
【００６３】
取得部２２２は、動き情報に基づいて、ユーザの喉の動きの大きさの経時変化を示す波形を取得する（ステップＳ２０２）。取得部２２２は、ステップＳ２２２で取得した波形に、振幅が第１閾値を超える波形が含まれているか否かを判別する（ステップＳ２０３）。含まれていないと判別すると（ステップＳ２０３；ＮＯ）、処理はステップＳ２０１へ戻り、振幅が第１閾値を超える波形が含まれていると判別するまでステップＳ２０１〜Ｓ２０３の処理を繰り返す。
【００６４】
振幅が第１閾値を超える波形が含まれていると判別すると（ステップＳ２０３；ＹＥＳ）、取得部２２２は、ステップＳ２０４〜Ｓ２０９の処理を実行することにより、動作情報を取得する。
【００６５】
なお、本実施形態では、振幅が第１閾値を超える波形が含まれていると判別されたことに応答してステップＳ２０４〜Ｓ２０９の処理を実行するが、これは一例に過ぎない。取得部２２２は、任意の条件が成立したことに応答してステップＳ２０４〜Ｓ２０９の処理を実行することができる。例えば、取得部２２２は、ユーザの体温、脈拍及び血圧のうちの少なくとも一つを取得する手段を備え、体温、脈波及び血圧のうちの少なくとも一つが上昇したことに応答してステップＳ２０４〜Ｓ２０９の処理を実行し、動作情報を取得してもよい。この態様によれば、ユーザによる飲食の開始を、飲食に伴う体温、脈拍及び血圧の上昇に基づいて検知し、この検知の結果に基づいて動作情報を取得できる。このため、飲食の開始を捕捉し損ねる可能性を低減し、より正確に咀嚼及び嚥下を検知できる。なお、ユーザの体温、脈拍及び血圧を測定する技術は公知であるため、詳細な説明を省略する。
【００６６】
ステップＳ２０４において、取得部２２２は、ステップＳ２０３で振幅が第１閾値を超えていると判別された波形の振幅が、第２閾値を超えているか否かを判別する（ステップＳ２０４）。
【００６７】
波形の振幅が第２閾値を超えていると判別すると（ステップＳ２０４；ＹＥＳ）、この波形は嚥下波形であると考えられるので、取得部２２２は、この波形の出現タイミングを示す情報を、嚥下のタイミングを示す動作情報として取得する（ステップＳ２０５）。その後、処理はステップＳ２０７へ移る。
【００６８】
波形の振幅が第２閾値を超えていないと判別すると（ステップＳ２０４；ＮＯ）、取得部２２２は、この波形の出現タイミングから判別時間後までの波形を取得済みか否かを判別する（ステップＳ２０６）。
【００６９】
判別時間後までの波形を未だ取得していないと判別すると（ステップＳ２０６；ＮＯ）、処理はステップＳ２０１へ戻り、振幅が第２閾値を超える波形を検知する（ステップＳ２０４でＹＥＳと判別される）か、判別時間後までの波形を取得する動き情報を受信する（ステップＳ２０６でＹＥＳと判別される）まで、ステップＳ２０１〜Ｓ２０６の処理を繰り返す。判別時間後までの波形を取得済みであると判別すると（ステップＳ２０６；ＹＥＳ）、処理はステップＳ２０７へ移る。
【００７０】
ステップＳ２０７において、取得部２２２は、取得した波形中に、振幅が第１閾値以上第２閾値以下の複数の波形であって、単位時間あたりの出現回数が判別範囲以内である波形が出現しているか否かを判別する（ステップＳ２０７）。
【００７１】
振幅が第１閾値以上第２閾値以下の複数の波形であって、単位時間あたりの出現回数が判別範囲以内である波形が出現していないと判別すると（ステップＳ２０７；ＮＯ）、処理はステップＳ２０９へ移る。
【００７２】
振幅が第１閾値以上第２閾値以下の複数の波形であって、単位時間あたりの出現回数が判別範囲以内である波形が出現していると判別すると（ステップＳ２０７；ＹＥＳ）、取得部２２２は、これらの波形の出現タイミングを示す情報を、咀嚼のタイミングを示す動作情報として取得し（ステップＳ２０８）、処理はステップＳ２０９へ移る。
【００７３】
ステップＳ２０９にて、取得部２２２は、嚥下または咀嚼のタイミングを示す動作情報を取得済みか否かを判別する（ステップＳ２０９）。何れの動作情報も取得していないと判別した場合（ステップＳ２０９；ＮＯ）、処理はステップＳ２０１へ戻る。
【００７４】
嚥下または咀嚼のタイミングを示す動作情報を取得したと判別すると（ステップＳ２０９；ＹＥＳ）、取得部２２２が、ステップＳ２１０〜Ｓ２１３の処理を実行することにより、報知情報を取得する。
【００７５】
ステップＳ２１０において、取得部２２２は、ステップＳ２０１〜Ｓ２０９で取得された動作情報に基づいて、一口あたりの咀嚼回数を示す報知情報を取得する（ステップＳ２１０）。
【００７６】
取得部２２２は、ステップＳ２１０で取得した一口あたりの咀嚼回数を、これ以前のステップＳ２０１〜Ｓ２１１の処理で取得した一食あたりの咀嚼回数に累積加算することにより、一食あたりの咀嚼回数を示す報知情報を取得する（ステップＳ２１１）。
【００７７】
取得部２２２は、ステップＳ２１０で取得した一口あたりの咀嚼回数が、予め設定された「好適」、「やや不適」及び「不適」の何れの範囲に属するかを示す報知情報を取得する（ステップＳ２１２）。
【００７８】
取得部２２２は、ステップＳ２０１〜Ｓ２０９で取得された動作情報に基づいて、単位時間あたりの咀嚼回数が、予め設定された「好適」、「やや不適」及び「不適」の何れの範囲に属するかを示す報知情報を取得する（ステップＳ２１３）。
【００７９】
取得部２２２は、ステップＳ２１０〜Ｓ２１３で取得した報知情報を報知部２２３へ供給する。報知部２２３は、ステップＳ２１４〜Ｓ２１８の処理を実行することにより、供給された報知情報を出力する。
【００８０】
ステップＳ２１４において、報知部２２３は、ディスプレイ２４０を介して、報知情報に対応する報知画面Ｗｎを報知画像として画像出力する（ステップＳ２１４）。
【００８１】
報知部２２３は、報知情報が示す一口あたりの咀嚼回数が第１警告条件を満たしているか否かを判別する（ステップＳ２１５）。第１警告条件を満たしていないと判別すると（ステップＳ２１５；ＮＯ）、処理はステップＳ２１７へ移る。
【００８２】
一口あたりの咀嚼回数が第１警告条件を満たしていると判別すると（ステップＳ２１５；ＹＥＳ）、報知部２２３は、スピーカ２５０を介して、第１警告音を報知情報として音声出力し（ステップＳ２１６）、処理はステップＳ２１７へ移る。
【００８３】
報知部２２３は、報知情報が示す単位時間あたりの咀嚼回数が、第２警告条件を満たしているか否かを判別する（ステップＳ２１７）。第２警告条件を満たしていないと判別すると（ステップＳ２１７；ＮＯ）、処理はステップＳ２１９へ移る。
【００８４】
単位時間あたりの咀嚼回数が第２警告条件を満たしていると判別すると（ステップＳ２１７；ＹＥＳ）、報知部２２３は、スピーカ２５０を介して、第２警告音を報知情報として音声出力し（ステップＳ２１８）、処理はステップＳ２１９へ移る。
【００８５】
ステップＳ２１９において、制御部２２０は、報知処理の終了指示を受け付けたか否かを判別する（ステップＳ２１９）。終了指示を受け付けていないと判別すると（ステップＳ２１９；ＮＯ）、処理はステップＳ２０１へ戻る。
【００８６】
報知処理の終了を所望するユーザが、報知装置２００の操作部２３０が備える電源ボタンを操作することにより報知装置２００の電源を切ると、制御部２２０は、これに応答して、終了指示を受け付けたと判別し（ステップＳ２１９；ＹＥＳ）、報知処理を終了する。
【００８７】
以上、本実施形態に係る検知システム１０は、ユーザの喉の動きに基づいて、飲食に伴うユーザの動作である咀嚼及び嚥下を検知し、検知の結果に基づいて、健康管理または美容促進に有用な報知情報を出力する。
【００８８】
ユーザが咀嚼及び嚥下を行うと、ユーザの体の他の部分には動きが生じない場合であっても、ユーザの喉には動きが生じる。このため、ユーザの喉の動きに基づいて検知を行う検知システム１０は、飲食に伴うユーザの動作を正確に検知することができる。
【００８９】
特に、検知システム１０は、ユーザの喉以外の部分の動きに基づいて検知することが困難な嚥下動作を正確に検知できる。検知システム１０は、嚥下を正確に検知できるため、一口あたりの咀嚼回数に基づいた報知情報を出力できる。
【００９０】
（第２実施形態）
上記の第１実施形態では、検知装置１００が動き情報の取得を行い、報知装置２００が動作情報の取得、報知情報の取得及び報知情報の出力を行った。しかし、これは一例に過ぎず、検知システム１０の各動作は、検知装置１００及び報知装置２００の何れが実行してもよい。
【００９１】
以下、検知装置１００’が動き情報の取得、動作情報の取得及び報知情報の取得を行い、報知装置２００’が報知情報の出力を行う実施形態を説明する。
【００９２】
まず、検知装置１００’の構成及び機能を、第１実施形態に係る検知装置１００の構成及び機能との差異点を中心として説明する。検知装置１００’は、検知装置１００と概ね同一の構成及び機能を備えているものの、構成及び機能の一部が異なっている。
【００９３】
検知装置１００’は、図９に示すように、取得部１３２を備えている点において検知装置１００と異なっている。
【００９４】
取得部１３２は、ユーザの首に装着されたセンサ１２０が検知したユーザの喉の動きに基づいて、動作情報を取得する。取得部１３２が動作情報を取得する機能は、第１実施形態で既に説明した報知装置２００の取得部２２２が動作情報を取得する機能と同一であるため、詳細な説明は省略する。
【００９５】
取得部１３２は、取得した動作情報に基づいて、報知情報を取得する。取得部１３２が動作情報に基づいて報知情報を取得する機能は、第１実施形態で既に説明した報知装置２００の取得部２２２が報知情報を取得する機能と同一であるため、詳細な説明は省略する。取得部１３２は、取得した報知情報を、送信部１３１へ供給する。
【００９６】
送信部１３１は、供給された報知情報を、報知装置２００’の受信部２２１へ送信する。
【００９７】
次に、報知装置２００’の構成及び機能を、第１実施形態に係る報知装置２００の構成及び機能との差異点を中心として説明する。報知装置２００’は、報知装置２００と概ね同一の構成及び機能を備えているものの、構成及び機能の一部が異なっている。
【００９８】
報知装置２００’は、図１０に示すように、取得部２２２を備えていない点において報知装置２００と異なっている。
【００９９】
報知装置２００’の受信部２２１は、検知装置１００’の送信部１３１から、報知情報を受信する。受信部２２１は、受信した報知情報を、報知部２２３へ供給する。
【０１００】
報知部２２３は、受信部２２１から供給された報知情報を出力する。報知部２２３が報知情報を出力する機能については、第１実施形態において既に説明したので、説明は省略する。
【０１０１】
次に、上記の構成及び機能を備える検知装置１００’及び報知装置２００’の動作について説明する。
【０１０２】
まず、図１１のフローチャートを参照して、検知装置１００’が実行する検知処理について説明する。検知処理の開始を所望するユーザは、検知装置１００’の操作部１４０が備える電源ボタンを操作することにより、検知装置１００’の電源を投入する。検知装置１００’は、電源が投入されたことに応答して、図１１のフローチャートに示す検知処理を開始する。
【０１０３】
まず、検知装置１００’の取得部１３２が、センサ１２０からの出力に基づいて、ユーザの喉の動きの大きさの経時変化を表す波形を動き情報として取得する（ステップＳ２０２）。
【０１０４】
取得部１３２は、ステップＳ２０３〜Ｓ２０９の処理を実行することにより、ステップＳ２０２で取得した動き情報に基づいて、動作情報を取得する。
【０１０５】
取得部１３２は、ステップＳ２１０〜Ｓ２１３の処理を実行することにより、ステップＳ２０３〜Ｓ２０９で取得した動作情報に基づいて、報知情報を取得する。取得部１３２は、取得した報知情報を、送信部１３１へ供給する。
【０１０６】
ステップＳ２０２〜Ｓ２１３の処理の詳細については、第１実施形態において既に説明したので、説明を省略する。
【０１０７】
送信部１３１は、供給された報知情報を、報知装置２００’の受信部２２１へ送信する（ステップＳ３０１）。
【０１０８】
その後、ステップＳ１０２にて、制御部１３０は、検知処理の終了指示を受け付けたか否かを判別する（ステップＳ１０２）。終了指示を受け付けていないと判別すると（ステップＳ１０２；ＮＯ）、処理はステップＳ２０２へ戻り、終了指示を受け付けたと判別するまでステップＳ２０２〜Ｓ１０２の処理を繰り返す。
【０１０９】
検知処理の終了を所望するユーザが、操作部１４０が備える電源ボタンを操作することにより電源を切ると、制御部１３０は、これに応答して、終了指示を受け付けたと判別し（ステップＳ１０２；ＹＥＳ）、検知処理を終了する。
【０１１０】
次に、図１２のフローチャートを参照して、報知装置２００’が実行する報知処理について説明する。なお、以下の説明では、検知装置１００’が、図１１のフローチャートの検知処理を実行することにより、報知装置２００’へ報知情報を送信し続けているものとして説明を行う。この状態において、報知処理の開始を所望するユーザが報知装置２００’の操作部２３０が備える電源ボタンを操作することにより報知装置２００’の電源を投入すると、報知装置２００’は、これに応答して、図１２のフローチャートに示す報知処理を開始する。
【０１１１】
まず、報知装置２００’の受信部２２１が、検知装置１００’の送信部１３１から、報知情報を受信する（ステップＳ４０１）。受信部２２１は、受信した報知情報を、報知部２２３へ供給する。
【０１１２】
報知部２２３は、ステップＳ２１４〜Ｓ２１８の処理を実行することにより、受信部２２１から供給された報知情報を出力する。ステップＳ２１４〜Ｓ２１８の処理の詳細については、第１実施形態において既に説明したので、説明を省略する。
【０１１３】
報知情報を出力した後、報知装置２００’の制御部２２０は、報知処理の終了指示を受け付けたか否かを判別する（ステップＳ２１９）。終了指示を受け付けていないと判別すると（ステップＳ２１９；ＮＯ）、処理はステップＳ４０１へ戻り、終了指示を受け付けたと判別するまで、ステップＳ４０１〜Ｓ２１９の処理を繰り返す。
【０１１４】
報知処理の終了を所望するユーザが、報知装置２００’の操作部２３０が備える電源ボタンを操作することにより電源を切ると、制御部２２０は、これに応答して、終了指示を受け付けたと判別し（ステップＳ２１９；ＹＥＳ）、報知処理を終了する。
【０１１５】
以上、本実施形態によれば、検知装置１００’が動き情報の取得、動作情報の取得及び報知情報の取得を行い、報知装置２００’が報知情報の出力を行う。このため、報知装置２００が動作情報の取得、報知情報の取得及び報知情報の出力を行う第１実施形態に比べて、報知装置２００’の処理負荷を軽減できる。また、検知装置１００’が動作情報を取得した（図１１のフローチャートのステップＳ２０９でＹＥＳと判別された）場合にのみ検知装置１００’と報知装置２００’との間で通信が行われるため、動き情報をリアルタイムに、選別することなく送信する第１実施形態に比べて、通信負荷を軽減できる。
【０１１６】
以上、本発明の実施形態について説明したが、これらの実施形態は一例であり、本発明の適用範囲はこれに限られない。すなわち、本発明の実施形態は種々の応用が可能であり、あらゆる実施の形態が本発明の範囲に含まれる。
【０１１７】
上記の実施形態では、検知システム１０が、飲食に伴うユーザの動作である咀嚼及び嚥下を検知するものとして説明した。しかし、これは一例に過ぎない。本発明に係る検知システム１０は、ユーザの喉の動きを伴う動作である限り、飲食に伴う任意の動作を検知できる。例えば、検知システム１０は、咽せる動作や嘔吐を検知することもできる。また、検知システム１０は、ユーザの喉の動きを伴う動作である限り、飲食以外の活動に伴うユーザの動作を検知することもできる。例えば、検知システム１０は、あくびや咳、しゃっくりといった動作を検知することができる。
【０１１８】
上記の第１実施形態では、検知装置１００が、動き情報の取得を行い、報知装置２００が、動作情報の取得、報知情報の取得及び報知情報の出力を行った。また、上記の第２実施形態では、検知装置１００’が、動き情報の取得、動作情報の取得及び報知情報の取得を行い、報知装置２００’が、報知情報の出力を行った。しかし、これらは単なる例に過ぎず、本発明に係る検知システムの各動作は、検知装置１００及び報知装置２００のどちらが実行してもよい。例えば、動き情報の取得、動作情報の取得、報知情報の取得及び報知情報の出力の全ての動作を、単一の装置が行ってもよい。この態様によれば、本発明に係る検知システムを簡素に構成することができる。
【０１１９】
あるいは、検知装置１００が、動き情報の取得及び動作情報の取得を行い、報知装置２００が、報知情報の取得及び報知情報の出力を行ってもよい。この場合、検知装置１００は、ユーザの首に装着されたセンサを備え、このセンサが検知したユーザの喉の動きに基づいて、動作情報を取得する。検知装置１００の送信部１３１は、取得した動作情報を報知装置２００へ送信し、報知装置２００は、受信した動作情報に基づいて取得された報知情報を取得し、出力する。この態様によれば、第１実施形態に比べて、報知装置２００の処理負荷を軽減できる。また、検知装置１００が動作情報を取得した場合にのみ検知装置１００と報知装置２００との間の通信が行われるので、検知装置１００が動き情報を選別することなくリアルタイムに送信する第１実施形態に比べて、通信負荷が軽減できる。
【０１２０】
上記の実施形態において、報知装置２００の報知部２２３は、ディスプレイ２４０を介して報知画面Ｗｎを画像出力すると共に、スピーカ２５０を介して第１警告音及び第２警告音を音声出力することによって、報知情報を出力した。しかし、これは一例に過ぎない。報知部２２３は、任意の方法により報知情報を出力できる。例えば、報知部２２３は、動作情報が示す飲食に伴う動作のタイミングに基づいて、音声の出力、画像の出力、振動の発生、発光の発生のうちの少なくとも何れか一つを行うことによって、報知情報を出力してもよい。この場合、報知部２２３は、ディスプレイ２４０及びスピーカ２５０に加えて、発光の発生を行う発光手段と、報知装置２００を振動させるバイブレータと、を備える。具体的に、報知部２２３は、例えば、動作情報が示す咀嚼のタイミングにあわせて、音声の出力、画像の出力、振動の発生、発光の発生のうちの少なくとも何れか一つを行う。この態様によれば、ユーザが、自らの咀嚼回数や咀嚼頻度を直感的に認識し、健康管理または美容促進に役立てることができる。
【０１２１】
上記の実施形態では、報知装置２００の例として、スマートフォンを用いて説明した。しかし、これは一例に過ぎない。本発明に係る検知システム、検知装置及び報知装置は、コンピュータやスマートウォッチ、ＰＤＡ（Personal Digital Assistance）等の任意の電子機器によって実現できる。具体的には、スマートフォンやコンピュータ、スマートウォッチ等の電子機器を本発明に係る検知システム、検知装置及び報知装置として動作させるためのプログラムを、これらの電子機器が読み取り可能な記録媒体（例えば、メモリカードやＣＤ−ＲＯＭ（Compact Disc Read-Only Memory）、ＤＶＤ−ＲＯＭ（Digital Versatile Disc Read-Only Memory）等）に格納して配布し、インストールすることにより本発明に係る検知システム、検知装置及び報知装置を実現することができる。
【０１２２】
あるいは、上記のプログラムを、インターネット等の通信ネットワーク上のサーバ装置が有する記憶装置（例えば、ディスク装置等）に格納しておき、スマートフォンやコンピュータ、スマートウォッチ等がこのプログラムをダウンロードすることによって本発明に係る検知システム、検知装置及び報知装置を実現してもよい。
【０１２３】
また、本発明に係る検知システム、検知装置及び報知装置の機能を、オペレーティングシステム（ＯＳ：Operating System）とアプリケーションプログラムとの協働又は分担により実現する場合には、アプリケーションプログラム部分のみを記録媒体や記憶装置に格納してもよい。
【０１２４】
また、アプリケーションプログラムを搬送波に重畳し、通信ネットワークを介して配信してもよい。例えば、通信ネットワーク上の掲示板（ＢＢＳ：Bulletin Board System）にアプリケーションプログラムを掲示し、ネットワークを介してアプリケーションプログラムを配信してもよい。そして、このアプリケーションプログラムをコンピュータにインストールして起動し、ＯＳの制御下で、他のアプリケーションプログラムと同様に実行することにより、本発明に係る検知システム、検知装置及び報知装置を実現してもよい。
【０１２５】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【０１２６】
（付記１）
ユーザの首に装着され、前記ユーザの喉の動きを検知するセンサと、
前記センサによって検知された前記ユーザの前記喉の動きに基づいて、前記ユーザの飲食に伴う動作を示す動作情報を取得する取得手段と、
前記動作情報に基づいて取得された報知情報を出力する報知手段と、
を備える、
ことを特徴とする検知システム。
【０１２７】
（付記２）
前記飲食に伴う動作は、咀嚼と嚥下とのうちの少なくとも何れか一つである、
ことを特徴とする付記１に記載の検知システム。
【０１２８】
（付記３）
前記動作情報は、前記咀嚼と前記嚥下とのうちの少なくとも何れか一つのタイミングである、
ことを特徴とする付記２に記載の検知システム。
【０１２９】
（付記４）
前記センサは、前記ユーザの生体情報を検知し、
前記取得手段は、前記生体情報に基づいて、前記動作情報を取得する、
ことを特徴とする付記１乃至３の何れか一つに記載の検知システム。
【０１３０】
（付記５）
前記報知情報は、一口あたりの前記飲食に伴う動作の回数を示し、
前記報知手段は、前記報知情報が示す前記一口あたりの前記飲食に伴う動作の回数が第１警告条件を満たした場合、前記報知情報として第１警告情報を出力する、
ことを特徴とする付記１乃至４の何れか一つに記載の検知システム。
【０１３１】
（付記６）
前記報知情報は、単位時間あたりの前記飲食に伴う動作の回数をさらに示し、
前記報知手段は、前記報知情報が示す前記単位時間あたりの前記飲食に伴う動作の回数が第２警告条件を満たした場合、前記報知情報として第２警告情報を出力する、
ことを特徴とする付記５に記載の検知システム。
【０１３２】
（付記７）
前記第１警告条件と前記第２警告条件とは、前記ユーザが飲食する物に応じてそれぞれ設定されている、
ことを特徴とする付記６に記載の検知システム。
【０１３３】
（付記８）
前記報知手段は、前記飲食に伴う動作のタイミングに基づいて、音声の出力、画像の出力、振動の発生、発光の発生のうちの少なくとも何れか一つを行うことによって、前記報知情報を出力する、
ことを特徴とする付記１乃至７の何れか一つに記載の検知システム。
【０１３４】
（付記９）
前記検知システムは、検知装置と、報知装置と、を備え、
前記検知装置は、
前記センサと、
前記センサによって検知された前記ユーザの前記喉の動きを示す動き情報を、前記報知装置へ送信する送信手段と、
を有し、
前記報知装置は、
前記検知装置から送信された前記動き情報を受信する受信手段と、
前記受信手段によって受信された前記動き情報に基づいて、前記動作情報を取得する前記取得手段と、
前記報知手段と、
を有する、
ことを特徴とする付記１乃至８の何れか一つに記載の検知システム。
【０１３５】
（付記１０）
前記検知システムは、検知装置と、報知装置と、を備え、
前記検知装置は、
前記センサと、
前記取得手段と、
前記取得手段が取得した前記動作情報に基づいて取得された前記報知情報を、前記報知装置へ送信する送信手段と、
を有し、
前記報知装置は、
前記検知装置から送信された前記報知情報を受信する受信手段と、
前記受信手段によって受信された前記報知情報を出力する前記報知手段と、
を有する、
ことを特徴とする付記１乃至８の何れか一つに記載の検知システム。
【０１３６】
（付記１１）
ユーザの首に装着され、前記ユーザの喉の動きを検知するセンサと、
前記センサによって検知された前記ユーザの前記喉の動きに基づいて、前記ユーザの飲食に伴う動作を示す動作情報を取得する取得手段と、
前記動作情報を、前記動作情報に基づいて取得された報知情報を出力する報知装置へ送信する送信手段と、
を備える、
ことを特徴とする検知装置。
【０１３７】
（付記１２）
ユーザの首に装着されたセンサによって検知された前記ユーザの喉の動きを示す動き情報を、前記センサを備える検知装置から受信する受信手段と、
前記センサによって検知された前記ユーザの前記喉の動きに基づいて、前記ユーザの飲食に伴う動作を示す動作情報を取得する取得手段と、
前記動作情報に基づいて取得された報知情報を出力する報知手段と、
を備える、
ことを特徴とする報知装置。
【０１３８】
（付記１３）
ユーザの首に装着されたセンサによって前記ユーザの喉の動きを検知し、
前記センサによって検知された前記ユーザの前記喉の動きに基づいて、前記ユーザの飲食に伴う動作を示す動作情報を取得し、
前記動作情報に基づいて取得された報知情報を出力する、
ことを特徴とする検知方法。
【０１３９】
（付記１４）
検知装置のコンピュータに、
ユーザの首に装着されたセンサによって検知された前記ユーザの喉の動きを示す動き情報を取得させ、
前記動き情報に基づいて、前記ユーザの飲食に伴う動作を示す動作情報を取得させ、
前記動作情報を、前記動作情報に基づいて取得された報知情報を出力する報知装置へ送信させる、
ことを特徴とするプログラム。
【０１４０】
（付記１５）
報知装置のコンピュータに、
ユーザの首に装着されたセンサによって検知された前記ユーザの喉の動きを示す動き情報に基づいて取得された報知情報を、前記センサを備える検知装置から受信させ、
受信した前記報知情報を出力させる、
ことを特徴とするプログラム。
【符号の説明】
【０１４１】
１０…検知システム、１００，１００’…検知装置、１１０…装着部、１２０…センサ、１３０，２２０…制御部、１３１…送信部、１３２，２２２…取得部、１４０，２３０…操作部、１５０，２１０…無線通信Ｉ／Ｆ、２００，２００’…報知装置、２２１…受信部、２２３…報知部、２４０…ディスプレイ、２５０…スピーカ、Ｗｎ…報知画面、Ｃｎ…第１表示領域、Ｔｎ…第２表示領域、Ｉｎ１…第１報知アイコン、Ｉｎ２…第２報知アイコン
【図１】
2017056053.tif 000003
【図２】
2017056053.tif 000004
【図３】
2017056053.tif 000005
【図４】
2017056053.tif 000006
【図６】
2017056053.tif 000007
【図７】
2017056053.tif 000008
【図８】
2017056053.tif 000009
【図９】
2017056053.tif 000010
【図１０】
2017056053.tif 000011
【図１１】
2017056053.tif 000012
【図１２】
2017056053.tif 000013
【図５】
2017056053.tif 000014